(57)【特許請求の範囲】
【請求項１】
画像を表示するフラットディスプレイパネルと、表示装置を据え置きにするときに基台の役をなす台板と、前記フラットディスプレイパネルを前記台板の上に立てるための、前記フラットディスプレイパネルおよび前記台板に結合された支柱とを含み、
前記支柱と前記フラットディスプレイパネルとは、フラットディスプレイパネルが支柱との結合部を中心にして垂直面内で回転可能で且つ、所望の角度で固定可能なように結合され、前記フラットディスプレイパネルの支柱との結合部を中心にする垂直面内での回転は３６０度回転可能であり、
前記支柱と前記台板とは、支柱が台板との結合部を中心にして垂直面内で回転可能で且つ、所望の角度で固定可能なように結合され、前記支柱の台板との結合部を中心にする垂直面内での回転は３６０度回転可能であり、
前記台板には、これを壁面または天井面に固定する手段を有することを特徴とする表示装置。
【請求項２】
前記台板は表裏を通じる開口を有し、その開口に壁面または天井面に設けてある鈎状物を通して台板を前記鉤状物に引っ掛けることで、台板を壁面または天井面に固定する構造であることを特徴とする、請求項１に記載の表示装置。
【請求項３】
前記支柱は長尺で、少くとも前記フラットディスプレイパネルに対しては二本足であり、各々の足には長手方向に長い表裏を通じる貫通孔を有し、前記長穴の貫通孔を通したねじによって前記フラットディスプレイパネルに結合され、
前記フラットディスプレイパネルは、前記ねじの緩、緊に応じて、前記支柱の足に設けられた長穴の貫通孔に沿って上下に移動可能であると共にねじの周りに回転可能となり、または所望の高さ及び角度に固定される構造であることを特徴とする、請求項１又は請求項２に記載の表示装置。
【請求項４】
前記支柱は、前記二本の足がそれぞれ前記フラットディスプレイパネルの両側面に結合されていることを特徴とする、請求項３に記載の表示装置。
【請求項５】
前記フラットディスプレイパネルの背面に突状部を設け、前記支柱の二本の足をそれぞれ前記突状部の両側面に結合したことを特徴とする、請求項３に記載の表示装置。
【請求項６】
前記支柱を前記台板に対して二本足とし、前記台板の両側面に前記支柱との結合部を設け、前記支柱の各々の足には前記台板との結合部に相当する位置に表裏を通じる貫通孔を設け、その貫通孔を通したねじによって前記台板の側面に結合することにより、前記ねじの緩、緊によって支柱がねじの周りに回転可能で且つ、所望の角度に固定可能な構造にしたことを特徴とする、請求項２乃至５の何れか１項に記載の表示装置。
【請求項７】
前記支柱を前記台板の両側面に結合させるのに替えて、前記台板に前記支柱を結合するための構造物を固定的に設け、その構造物と前記支柱とを前記ねじで結合したことを特徴とする、請求項６に記載の表示装置。
【請求項８】
前記フラットディスプレイパネルにプラズマディスプレイパネルを用いたことを特徴とする、請求項１乃至７の何れか１項に記載の表示装置。
【発明の詳細な説明】
【０００１】
【発明の属する技術分野】
本発明は、フラットディスプレイパネルを用いた平面形の表示装置に関し、特に、表示装置を据え置き型、壁掛け型または吊り下げ型に使い分けるのに好適な支持装置の構造に関する。
【０００２】
【従来の技術】
近年、例えば液晶表示パネルやプラズマディスプレイパネル（ＰＤＰ）などのようなフラットディスプレイパネルを用いた、薄形の平面形表示装置が、いろいろな用途や場所で用いられるようになってきている。例えばＰＤＰは、大画面でしかも薄いものが得られることから、壁掛けテレビジョンの表示装置としての用途が期待されている。
【０００３】
ところで、ＴＶ受像機について言えば、これまで、表示装置にＣＲＴを用いたものを床の上に据え置きにして観る、いわゆる据え置き型のものが圧倒的に多く普及している。従って、これまでは、ＴＶ受像機における例えば支持構造のような機構設計においても、据え置き型の設置形態だけを考えれば大部分はそれでことたりていた。しかしながら、上述したように、ＰＤＰのような大画面でしかも薄形の平面形表示装置が実用化され、これを用いた壁掛けテレビジョンが実現できるようになった現在では、支持構造についても、据え置き型と壁掛け型の両方の設置形態について考えなければならないようになってきている。
【０００４】
そこで、本発明との関連で、従来の平面形の表示装置における支持構造をみてみると、当初、例えば特開平９−１２７８８２号公報の段落［０００２］および図７に記載されているように、据え置き型、壁掛け型のそれぞれごとに専用の支持構造を与えることが行なわれていた（従来例１）。
【０００５】
しかしながら、上記従来例１の構造では、据え置き型の機種と壁掛け型の機種とを別々に生産しなければならず、製造コストが割高になってしまうことから、上記公報に記載の発明が考えられた（従来例２）。すなわち、例えば上記公報の図１に示されるように、表示装置の背面に窪みを設け、この窪みの下部に窪み内に収納可能なリング状の物を回動可能に係止して、表示装置を据え置き型にするときは、上記リングを起こして表示装置の背面に垂直に立て、そのリングに別途用意したスタンドの支柱を通すことによって表示装置を床に立て、表示装置を壁掛け型にするときは、上記リングをたたんで窪み内に収納し、別途壁面に取り付けたフックを上記表示装置背面の窪みに挿着することによって、表示装置を壁面に掛ける構造にするのである。このようにすることによって、表示装置そのものとしては、据え置き型の機種でも壁掛け型の機種でも同じ一つの構造で済むようにして、製造コストを削減している。
【０００６】
【発明が解決しようとする課題】
上述した従来例２の発明によれば、据え置き型の機種と壁掛け型の機種の構造を統一して、製造コストを削減することができるものの、まだいくつかの点で改善の要がある。すなわち、第一に、表示装置を据え置き型にする場合に、別途、支柱を備えたスタンドが必要である。このスタンドは、表示装置を壁掛け型として用いるときは必要のない、据え置き型に専用の部品である。これを不要にし、部品点数を削減することにより、部品設計や製造工程における部品の在庫管理などに要する製造コストを削減できる。また、表示装置の視聴者の側においても、スタンド紛失というような事故の発生がなくなるなどの効果が期待できる。
【０００７】
第二に、据え置き型、壁掛け型のいずれの型に設置した場合でも、表示画面は床面に垂直または壁面に平行に固定されてしまい、画面の角度を上向きにしたり下向きに変えたりすることはできない。また、表示装置自体における画面の高さも製造段階で決まってしまい、視聴者の側で調節することができない。従って、視聴者は画面の角度や高さを最適なものに調整することができず、使い勝手がよくない。
【０００８】
第三に、装置を天井から宙吊りにして「吊り下げ型」として用いるときの支持構造を備えていない。従来例２は、そもそも、表示装置を吊り下げ型として用いるという思想を全く欠いているのではあるけれども、しいて考えれば、壁掛け型として用いるときに壁面に設けたフックと同様のものを天井にも設け、表示装置背面の窪みに上記天井のフックを挿着すれば、表示装置を天井に取り付けることはできないことではない。しかし、そのようにした場合は、表示画面が天井面と平行になってしまうので、表示装置の用をなさなくなってしまう。表示装置を吊り下げ型としても用いられるようにするためにも、また、それ以外に、据え置き型、壁掛け型および吊り下げ型それぞれの設置形態における使用感を向上させるためにも、画面の角度調整はどうしても必要である。
【０００９】
従って、本発明は、薄形で平面形の表示装置を、据え置き型、壁掛け型および吊り下げ型のいずれの設置形態でも用いられるようにすることを目的とする。
【００１０】
本発明は、また、薄形で平面形の表示装置において、据え置き型、壁掛け型および吊り下げ型の各設置形態に特別の、専用の支持構造部品を削減することを目的とする。
【００１１】
本発明は、更に、薄形で平面形の表示装置において、据え置き型、壁掛け型および吊り下げ型のいずれの設置形態で用いる場合でも、画面の水平面に対する角度調整ができるような支持構造を提供することを目的とする。
【００１２】
本発明は、更に、画面の高さ調節が可能な支持機構を提供することを目的とする。
【００１３】
【課題を解決するための手段】
本発明の表示装置は、フラットディスプレイパネルを用いた表示装置であって、装置を床に据え置いた状態で観るときにスタンドの役をなす据え置き手段と、壁に掛けた状態で観るときに装置を壁面に掛けるための壁掛け手段と、天井から吊り下げた状態で観るときに装置を宙吊りにするための吊り下げ手段とを同一物で構成し、観るときの状態に応じて転用しあう機構にしたをことを特徴とする。
【００１４】
本発明の表示装置は、上記の表示装置において、前記据え置き手段、壁掛け手段及び吊り下げ手段は、前記フラットディスプレイパネルの水平面に対する角度を調節する手段を有することを特徴とする。
【００１５】
【発明の実施の形態】
次に、本発明の実施の形態について、ＰＤＰを例にとり、図面を参照して説明する。本発明の第１の実施例（実施例１）に係るＰＤＰを床に置いた状態の斜視図および側面図を示す図１を参照して、本実施例のＰＤＰは、プラズマディスプレイパネル１と、そのディスプレイパネル１を支えて立てるための支柱３と、ＰＤＰ全体を支える台板２とを備えている。
【００１６】
支柱３は、平板でできた長尺の棒からなり、２本あって、ディスプレイパネル１の左右の側面に１本ずつ取り付けられている（表示画面に向かって左側の支柱は、図示されていない）。とくに平板製でなければならないことはないが、壁掛け型や吊り下げ型として用いるときにはなるべく軽量であることが望ましいので、平板製のほうがよいであろう。この支柱３には、ディスプレイパネル１側の端に近いところから反対側（台板２の側）の端に向かって、長手方向に細長いスライド穴５があけられている。このスライド穴５は、支柱３の表側から裏側に通じている貫通穴で、支柱３は、上記のスライド穴５を表側から裏側に通るねじ４によって、ディスプレイパネル１に固定されている。
【００１７】
支柱３には、台板２側の端の付近に、やはり表から裏に通じている図示しない丸穴の貫通穴が開けられていて、支柱３は、この貫通穴を表側から裏側に通るねじ６によって、台板２の左右の側面に固定されている。台板２には、また、３つの開口７が、表示画面に向かって左右方向に並べて開けられている。この開口７は、台板の表側と裏側とを通じる貫通穴であり、後述するように、本実施例に係るＰＤＰを壁掛け型または吊り下げ型として用いるときに使われるものである。
【００１８】
上述のねじ４とねじ６とはいずれも、締めたり緩めたりすることができるようになっていて、ねじ４を緩めた状態では、左右２つのねじ４を通る線を回転の軸にして、ディスプレイパネル１を３６０度の全角度に、時計回りあるいは反時計回りのどちらにも、自由に回転させることができる。また、ディスプレイパネル１の高さを任意に変えることができる。これによって、ディスプレイパネル１の高さと水平面に対する角度とを任意に変えることができる。そして、ねじ４を締めることによって、ディスプレイパネル１を所望の高さおよび角度に固定することができる。
【００１９】
一方、台板２側のねじ６については、これを緩めた状態では、左右二つのねじ６を通る線を回転軸にして、支柱３を３６０度の全角度に、時計回りあるいは反時計回りのどちらにも回転させることができる。これにより、水平面に対する支柱３の傾きを任意の角度に変えることができる。そして、ねじ６を締めることにより、支柱を所望の角度に固定することができる。
【００２０】
図２に、本実施例に係るＰＤＰを据え置き型として用い、ディスプレイパネル１を少し上向きにした使用例の側面図を示す。また、図３に、壁掛け型として用い、壁面に掛けた使用例の側面図を示す。図３は、分図（ａ）がディスプレイパネル１を壁面に平行にした状態を示し、分図（ｂ）がディスプレイパネルを少し下向きに傾けた状態を示す。図２と図３（ａ）とを参照して、図２に示す据え置き型の状態から図３（ａ）に示す壁掛け型の状態に変更するには、ディスプレイパネル１側の固定ねじ４を２つとも緩め、また台板２側の固定ねじ６も２つとも緩める。そして、図２中に矢印つきの円弧で示すように、支柱３をねじ４の周りに回転させ、また台板２をねじ６の周りに回転させて、台板２を壁面１１に平行にする。その後、壁面１１に予め固定されているフック８を台板２に開けてある開口７（図１（ａ）参照）に通して台板２に引っ掛け、台板２を壁面１１に固定する。
【００２１】
このとき、支柱３が壁面１１に対してなす角度αは、ねじ４からねじ６までの距離Ｌ、すなわちねじ４のスライド穴５の中における位置と、壁面１１からねじ４までの距離ｄとによって決まる。図３（ａ）は、ねじ４をスライド穴５のいちばん端に寄せて、距離Ｌを最短にした場合を例示している。いま、図３（ａ）に示す状態から、ディスプレイパネル１を少し下向きに傾けて、図３（ｂ）に示す状態に変えるものとすると、ディスプレイパネル１の下端が壁面１１に突き当たって、壁面１１とねじ４との距離ｄは図３（ａ）に示されている以上に大きくなる。従って、支柱３と壁面１１との間の角度αも図３（ａ）に図示する以上に大きくなるが、上述したように、支柱３はねじ６の周りに自由に回転できるので、ディスプレイパネル１の角度調節には、なんら支障はない。一方、図３（ａ）に示した状態から、ディスプレイパネル１の傾きは変えないで、ねじ４をスライド穴５の反対側の端に寄せて、ディスプレイパネル１の高さを下げる場合を考えると、この場合は、ねじ４とねじ６との間の距離Ｌが大きくなるので、支柱３と壁面１１との間の角度αは、図３（ａ）に示されている以上に小さくなるが、この場合も、支柱３がねじ６の周りに自由に回転できるので、ディスプレイパネル１の高さを調節するのになんら支障は生じない。以上のことから、ディスプレイパネル１の角度および高さを所望の位置に自由に設定できる。
【００２２】
尚、図３において、ねじ６を回転の中心にして支柱３を時計方向に回転させてゆけば、ディスプレイパネル１の高さはもっと広い範囲で調整できるし、角度も上向きにすることができる。しかしながら、ディスプレイパネル１は例えば４０型や５０型、更には６０型というような大画面で、かなりの重量物であることを考慮すると、ディスプレイパネルを壁面１１から浮かせるようなことをせず、垂直にして背面全体が壁面１１に接触するようにしたり、或いは下向きに傾けて、下端が壁面１１に接触しているようにするほうが、支柱３やねじ４，６などの耐久性や、ディスプレイパネルの位置あるいは角度の保持性の点で好ましいであろう。もちろん、支柱３やねじ４，６などの剛性が十分であれば、ディスプレイパネル１を壁面１１から浮かせてもなんら問題はない。
【００２３】
次ぎに、本実施例に係るＰＤＰを天井から宙吊りにして、吊り下げ型として用いたときの側面図を示す図４を参照して、この場合は、ディスプレイパネル側の２つのねじ４を結ぶ線を回転軸にして、台板２がディスプレイパネル１の天面側にくるまで、支柱３を回転させる。また、その状態でねじ６を緩めて台板２を天井面１２に平行にする。そして、天井面１２に予め設けてあるフック９を、台板２側の開口７（図１（ａ）参照）に通して台板２に引っ掛け、台板２を天井面１２に固定する。この使用例の場合も、ディスプレイパネル１の水平面に対する角度は、左右の２つのねじ４を通る線を回転軸とする回転の角度で調節できる。また、高さは、ねじ４のスライド穴５の中の位置で所望の値に調節できる。
【００２４】
尚、本実施例において、ＰＤＰを据え置き型として用いる場合および、天井面からの吊り下げ型として用いる場合は支柱３が床面１０（据え置き型の場合）または天井面１２（吊り下げ方の場合）に対して垂直になるようにするのが好ましいが、支柱３やねじ６の剛性が十分であれば、この限りではない。
【００２５】
本実施例によれば、前述の従来例２とは違って、据え置き型にする場合でも、その設置形態に専用の支柱付きスタンドを必要としないので、支持構造に関わる部品点数を削減することができる。しかも、据え置き型、壁掛け型、天井面からの吊り下げ型のどの設置形態でも使い分けができる。それのみならず、ディスプレイパネル１の角度も高さも、自由に設定することができる。
【００２６】
次に、本発明の他の実施例（実施例２）について説明する。実施例２に係るＰＤＰを据え置き型にした場合の、背面から見た斜視図および側面図を示す図５を参照して、本実施例は、実施例１に比べ、ディスプレイパネル１の背面に長方形の突状部１３を設け、その突状部１３の左右の側面に支柱３を取り付けている点と、台板２の左右の両端に一つずつ支柱支持部１４を固定的に設け、それら支柱支持部１４に、支柱３を取り付けている点が異なっている。尚、支柱３の上記突状部１３への取り付け構造および、上記支柱支持部１４への取り付け構造は、実施例１と同様に、ねじ４又はねじ６による上下動および回転が自在な構造になっている。本実施例の場合、支柱３は直接台板２に取り付けていないので、台板２の厚さを薄くすることができる。また、支柱支持部１４と支柱３との接触面積を大きくできるので、支柱３の固定強度も増加する。
【００２７】
本実施例は、次のように変形することもできる（変形例１）。すなわち、支柱３を二本足ではなく、一本足にするのである。そして、ディスプレイパネル１の背面には、上記一本の支柱をはさむような２つの突起を設け、その突起の間に支柱を挟んで、実施例１あるいは実施例２におけるねじ４による固定と同様な、ディスプレイパネル１の上下動および回転が自在のねじ止め構造にする。一方、台板２の側にも、一本の支柱を２つの突起ではさむ構造の支柱支持部を設け、その突起の間に支柱を挟んで、実施例１あるいは実施例２におけるねじ６と同様の、支柱の回転が自在なねじ止め構造にするのである。
【００２８】
更には、支柱全体を一本にするのではなく、例えば音叉のように、支柱のディスプレイパネル側を二股に分け、台板側は一本足にしておいて、支柱とディスプレイパネルとの結合部は実施例２と同じ構造にし、支柱と台板との結合部は上記変形例１と同じ構造にしてもよい（変形例２）。或いは、実施例１におけると同様に、支柱の二股部分をディスプレイパネルの側面に取り付けるようにしてもよい（変形例３）。また、変形例２とは逆に、支柱のディスプレイパネル側は一本にしておいて、台板側を二股に分けて、支柱とディスプレイパネルとの結合部は上記変形例１と同じ構造にし、一方、支柱と台板との結合部は、実施例１又は実施例２と同じ構造にしてもよい（変形例４）。
【００２９】
実施例２およびその各種変形例の場合は、実施例１と違って、ディスプレイ１のねじ４の周りの回転や支柱３のねじ６の周りの回転は、３６０度ではなく１８０度までしか回転しない場合があるが、いずれの実施例２および変形例でも本発明の目的を達することができる。どのような支持構造にするかは、例えば装置全体のデザインやディスプレイパネル１の重量あるいは、支柱やねじの剛性などを勘案して決めればよい。
【００３０】
尚、これまでの実施例１、実施例２および各種変形例において、表示画面の角度を変えるだけであれば、スライド穴５は特に長穴ではなく、ねじ４が通る程度の丸穴でよいが、スライド穴５を長穴にすれば、表示画面の角度と同時に高さも調節することができ、画面の位置調節の自由度が増すので、画面をより見やすく設定することができる。
【００３１】
また、これまでは、壁掛け型および天井面からの吊り下げ型にする場合、壁面１１又は天井面１２にフック８またはフック９を設けておき、そのフックを台板２側の開口７に通して台板２に引っ掛けることで、台板２を壁面又は天井面に固定する例について述べたが、本発明は、これに限らない。台板２の壁面や天井面への固定は、例えばねじ止めのような、半永久的な方法でもかまわない。フックによる引っ掛け式の台板固定は、設置形態を頻繁に変えるような場合に適しているし、ねじ止めなどの方法は、一度設置形態を決めたあとはほとんど変更することがない場合などに適しているので、設置条件に応じて台板の固定方法を選択すればよい。
【００３２】
また、これまで用いてきた「床（あるいは、床面）」、「壁（あるいは、壁面）」および「天井（あるいは、天井面）」なる用語は、必ずしも字義通りに建築物の構成部分だけを意味するものではない。例えば事務机の天面や、家具あるいは調度品の側面、その他、頭上に設けられた天井以外の構造物などのようなものであってもよい。また、床、壁あるいは天井の水平面に対する角度も、必ずしも水平または垂直ではなく、傾いていても構わない。
【００３３】
尚また、これまではＰＤＰを例にして説明してきたが、これに限らず、例えば液晶表示パネルを用いた表示装置のような薄形の平面形表示装置であれば、実施例と同様の作用効果を得られることは、明らかである。
【００３４】
【発明の効果】
以上説明したように、本発明によれば、薄形で平面形の表示装置を、据え置き型、壁掛け型および吊り下げ型のいずれの設置形態でも用いられるようにすることができる。
【００３５】
また、薄形で平面形の表示装置において、据え置き型、壁掛け型および吊り下げ型の各設置形態に特別の、専用の支持構造部品を削減できる。
【００３６】
更に、薄形で平面形の表示装置において、据え置き型、壁掛け型および吊り下げ型のいずれの設置形態で用いる場合でも、画面の上下方向の角度調整ができるような支持構造を提供できる。
【００３７】
更に、画面の高さ調節が可能な支持機構を提供できる。
【図面の簡単な説明】
【図１】実施例１に係るＰＤＰを床に置いた状態を示す斜視図および側面図である。
【図２】実施例１に係るＰＤＰを据え置き型として用い、ディスプレイパネルを少し上向きにした状態を示す側面図である。
【図３】実施例１に係るＰＤＰを壁面に掛けたときの状態を示す側面図である。
【図４】実施例１に係るＰＤＰを天井から吊り下げたときの状態を示す側面図である。
【図５】実施例２に係るＰＤＰを据え置き型にした場合の、背面から見た斜視図および側面図である。
【符号の説明】
１    ディスプレイパネル
２    台板
３    支柱
４    ねじ
５    スライド穴
６    ねじ
７    開口
８    フック
９    フック
１０    床面
１１    壁面
１２    天井面
１３    突状部
１４    支柱支持部
【図１】
0003599104.tif 000002
【図２】
0003599104.tif 000003
【図３】
0003599104.tif 000004
【図４】
0003599104.tif 000005
【図５】
0003599104.tif 000006